(57)【要約】      （修正有）【課題】組み立てと分解が容易である多角柱体と層板の組み合わせ構造の提供。【解決手段】多角柱体と層板の組み合わせ構造は、複数の竹棒を複数の間隔ブロックの外周に組み合わせ、間隔ブロックにより、相隣する両竹棒を隔てて、固定し、両竹棒の間が一距離を保持して、多角柱体を構成する。多角柱体の複数の高度位置に、更に、錐体を設置して、錐体を、層板に設けられた錐体通孔に挿入して、置物棚を構成する。【選択図】図１
0003147382.tif 000002
【実用新案登録請求の範囲】
【請求項１】
多角柱体と層板の組み合わせ構造であって、多角柱体は、複数の竹棒と複数の間隔ブロックを組み合わせてなり、前記竹棒は、前記間隔ブロックの外周に設置され、前記間隔ブロックにより、相隣する前記竹棒を隔てて、固定し、前記竹棒の間は一距離を保持し、前記多角柱体は錐体を設置して、層板に設けられた錐体通孔に挿入して組み合わせることを特徴とする多角柱体と層板の組み合わせ構造。
【請求項２】
前記多角柱体は、四本の竹棒を有し、前記間隔ブロックは前記竹棒の間に固定され、前記の四本の竹棒が「田」の字型である多角柱体を構成し、前記錐体は、二個の半錐体を組み合わせてなり、前記両半錐体の対応面は、それぞれ、前記両竹棒の厚さに対応する二スロットを設置し、両スロットの間は、前記両竹棒間の槽孔に対応する中間板を有し、前記両半錐体は、前記多角柱体の両側に対応して組み合わされ、且つ、前記両半錐体は、前記間隔ブロックにより支承されることを特徴とする請求項１に記載の多角柱体と層板の組み合わせ構造。
【請求項３】
前記間隔ブロックは、円柱形の間隔ブロックの外径に、等間隔で、複数の軸向きの栓槽溝を設置し、前記間隔ブロックの各栓槽溝内に、前記竹棒を固定して、多角柱体を構成し、前記錐体は、二個の半錐体により構成され、前記の両半錐体の対応面は、それぞれ、前記多角柱体の前記両竹棒の間の槽孔に対応する中間板を設置し、前記両半錐体が、前記多角柱体の両側に対応して組み合わされ、且つ、前記両半錐体は、前記間隔ブロックにより支承されることを特徴とする請求項１に記載の多角柱体と層板の組み合わせ構造。
【考案の詳細な説明】
【技術分野】
【０００１】
本考案は、竹棒と間隔ブロックでなる多角柱体に関するものであって、特に、層板を装着する構造設計に関するものである。
【背景技術】
【０００２】
現在、竹材や木材を利用して製造した置物棚は、柱体と層板とからなり、層板は分層で、各柱体の間に装着され、柱体により棚全体の重量を支えている。層板は、物品を放置するものである。層板と柱対の装着方式は、ねじか釘で、層板と柱体を固定する。よって、組み立て、取り外し時、共に不便で、特に、消費者が自身で組み立てる場合には、更に、不便である。
【考案の開示】
【考案が解決しようとする課題】
【０００３】
本考案の目的は、上述の問題を解決する多角柱体と層板の組み合わせ構造を提供することにある。
【課題を解決するための手段】
【０００４】
本考案は、複数の竹棒を複数の間隔ブロックの外周に組み合わせ、これらのブロックにより相隣する両竹棒を分離して固定し、両竹棒間が一定距離を有して、多辺、及び、多槽孔を有する多角柱体を構成する。多角柱体の多くの高度位置は、更に、錐体を設置し、錐体を層板に設けられた通孔に挿入して、置物棚を構成する。錐体は、二個の半錐体を組み合わせてなり、両半錐体は、多角柱体の両側に組み合わされ、間隔ブロックの支承を受ける。多角柱体に装着する層板は、複数の、下が広く、上が狭い錐体通孔を有し、錐体通孔の錐度は、錐体の錐度に対応して、層板の錐体通孔が、多角柱体の各錐体に設置されるとき、緊密に、層板を多角柱体に固定することができ、置物棚を構成する。分解する時、反対方向に層板を上に持ち上げると、錐体が錐体通孔を脱離して、層板が取り外せる。
【０００５】
本考案の多角柱体は、四本の竹棒を有し、間隔ブロックが竹棒の間に固定されて、四本の竹棒は、一端面が「田」の字をなす多角柱体を構成する。
【考案の効果】
【０００６】
本考案の多角柱体と層板の組み合わせ構造は、組み立て、分解が容易である。
【考案を実施するための最良の形態】
【０００７】
図１は、本考案の多角柱体１の実施例を示す図で、四本の竹棒１１からなり、四本の竹棒１１は、等距離で四角形に配置し、両竹棒１１の間に間隔ブロック１２を設置する。間隔ブロック１２と竹板１１の間は、粘着圧合技術により固定するか、或いは、任意の固定素子により固定する。間隔ブロック１２が竹棒１１に固定された後、四本の竹棒１１は一端が、「田」の字をなす多角柱体１を構成する。
【０００８】
本考案の多角柱１と錐体２と組み合わせて、層板を装着する。錐体２は、二個の半錐体２１からなり、両半錐体２１の対応面は、それぞれ、両竹棒１１の厚さに対応する二スロット２１２を有する。両スロット２１２の間は、両竹棒１１の間の槽孔に対応する中間板２１１を有し、両半錐体２１が多角柱体１の両側に対応組み合わせされ、且つ、両半錐体２１は、間隔ブロック１２により支承される（図２で示される）。
【０００９】
図４で示されるように、層板３は、フレーム体、及び、複数の棒状の竹材を組み合わせてなり、本考案の実施例では、層板３は長方形で、長方形の四角隅は、それぞれ、錐体通孔３１を設置し、錐体通孔３１の下端直径は、上端の直径より大きく、且つ、錐度は、錐体２の錐度に対応し、錐体２は錐体通孔３１内で緊密な組み合わせ効果を生成する。
【００１０】
本考案の多角柱体１と層板３を組み合わせる方式は、まず、図１で示されるように、両半錐体２１を、多角柱体１の両側から対合させ、両半錐体２１の中間板２１１を両竹棒１１の槽孔に挿入し、及び、両竹棒１１両側を両半錐体２１のスロット２１２に挿入して、錐体２を構成する。同時に、錐体２の下面は、間隔ブロック１２上に支承される（図２で示される）。その後、層板３の錐体通孔３１を、多角柱体１の上方から穿過し（図３、及び、図４で示される）、錐体通孔３１と錐体２が緊密に結合して、層板３が各多角柱体１に組み合わされる（図３と図５で示される）。前述の組み立て方式により、各層板３が、各多角柱体１の異なる高度位置に装着されて、置物棚を構成する（図６で示される）。本考案の実施例によると、四個の多角柱体１と複数の長方形の層板３により置物棚を構成する。この他、本考案は、多角柱体１に、更に多くの間隔ブロック１２を設置し、相隣する両多角柱体の間隔ブロック上に、横棒４を架設して（図３で示される）、物品を掛けることができる。
【００１１】
本考案の多角柱体のもう一つの実施例が図７で示され、複数の円柱形の間隔ブロック１２Aからなり、円柱形の間隔ブロック１２Aの外径は、等間隔で、複数の軸向きの栓槽溝１２Bを設置し、複数の間隔ブロック１２Aの各栓槽溝１２B内に、竹棒１１を固定して、多角柱体１を構成する。同様に、錐体２は、二個の半錐体２１により構成され、両半錐体２１の対応面は、それぞれ、多角柱体１の両竹棒１１の間の槽孔に対応する中間板２１１を設置し、両半錐体２１が、多角柱体１の両側に対応して組み合わされ（図８で示される）、且つ、両半錐体２１は、間隔ブロック１２Aにより支承され（図９で示される）、構成された錐体を、層架の錐体通孔に挿入し、同様に、図９の多角柱体を利用し、錐体２を層板３の錐体通孔に組み合わせて、図１０で示される置物棚を構成する。
【図面の簡単な説明】
【００１２】
【図１】本考案の多角柱体に、二個の半錐体を組み合わせる立体分解図である。
【図２】図１の素子組み合わせ後の実施例の立体分解図である。
【図３】本考案の層架を組み合わせる実施例の立体分解図である。
【図４】本考案の錐体と多角柱体と層架を組み合わせる実施例の平面分解図である。
【図５】図４の素子組み合わせ後の構造の平面図である。
【図６】本考案により構成された置物棚の立体図である。
【図７】本考案の多角柱体が、間隔ブロック外周に、複数の竹棒を組み合わせる実施例の立体分解図である。
【図８】図７の素子組み合わせ後、更に、錐体を装着する実施例の立体図である。
【図９】図８の素子組み合わせ後の立体図である。
【図１０】本考案により構成された置物棚の立体図である。
【符号の説明】
【００１３】
多角柱体１
錐体２
層板３
横棒４
竹棒１１
間隔ブロック１２、１２A
半錐体２１
錐体通孔３１
中間板２１１
スロット２１２
栓槽溝１２B
【図１】
0003147382.tif 000003
【図２】
0003147382.tif 000004
【図３】
0003147382.tif 000005
【図４】
0003147382.tif 000006
【図５】
0003147382.tif 000007
【図６】
0003147382.tif 000008
【図７】
0003147382.tif 000009
【図８】
0003147382.tif 000010
【図９】
0003147382.tif 000011
【図１０】
0003147382.tif 000012